(57)【要約】【課題】  ユーザに実状に合った範囲の修理の見積額を回答する。【解決手段】  概算見積データベース２ｂに製品カテゴリと型式と故障の症状とにおけるこれまでの修理実績を集計して得られる平均額と最高額と最低額とを記憶する。見積額抽出部２ｆはクライアント端末装置から受信する情報（製品カテゴリ、型式、故障の症状）を利用して概算見積データベース２ｂから対応する平均額と最低額と最高額とを抽出する。そして、見積額送信処理部２ｇは抽出された平均額と最低額と最高額とをクライアント端末装置３へ送信する。【選択図】  図２
2006228161.tif 000002
【特許請求の範囲】
【請求項１】
故障の発生した製品を修理するのに要する修理額を見積もる修理見積額出力装置において、
製品を区別するための製品情報と故障の症状とを関連付けて該製品情報に含まれる製品において該故障の症状の修理に要したこれまでの修理額の平均額と最低額と最高額とを記憶する修理額記憶手段と、
入力される製品情報と故障の症状とを利用して前記修理額記憶手段から該製品情報と該故障の症状とに関連付けて記憶されている平均額と最低額と最高額とを取り出す見積額抽出手段と、
前記見積額抽出手段により取り出される平均額と最低額と最高額とを出力する見積額出力手段と、
を具備することを特徴とする修理見積額出力装置。
【請求項２】
入力される情報に故障の症状が含まれているか否かを判断する情報内容判断手段を更に具備し、
前記修理額記憶手段は、製品情報と故障の症状の種類が関係ないことを示す症状無関係情報とに関連付けて該製品情報に含まれる製品において修理に要したこれまでの修理額の平均額と最低額と最高額とを記憶し、
前記見積額抽出手段は前記情報内容判断手段により故障の症状が含まれていると判断された場合には入力される製品情報と故障の症状とを利用して前記修理額記憶手段から該製品情報と該故障の症状とに関連付けて記憶されている平均額と最低額と最高額とを取り出し、前記情報内容判断手段により故障の症状が含まれていないと判断された場合には入力される製品情報を利用して前記修理額記憶手段から該製品情報と該症状無関係情報とに関連付けて記憶されている平均額と最低額と最高額とを取り出すことを特徴とする請求項１に記載の修理見積額出力装置。
【請求項３】
製品を区別するための製品情報と故障の症状とを関連付けて該製品情報に含まれる製品において該故障の症状の修理に要したこれまでの修理額の平均額と最低額と最高額とを記憶する修理額記憶手段を具備し、故障の発生した製品を修理するのに要する修理額を見積もる修理見積額出力装置において行われる修理額見積出力方法において、
入力される製品情報と故障の症状とを利用して前記修理額記憶手段から該製品情報と該故障の症状とに関連付けて記憶されている平均額と最低額と最高額とを取り出す見積額抽出手順と、
前記見積額抽出手順において取り出された平均額と最低額と最高額とを出力する見積額出力手順と、
を有することを特徴とする修理見積額出力方法。
【請求項４】
製品を区別するための製品情報と故障の症状とを関連付けて該製品情報に含まれる製品において該故障の症状の修理に要したこれまでの修理額の平均額と最低額と最高額とを記憶する修理額記憶手段を具備し、故障の発生した製品を修理するのに要する修理額を見積もる修理見積額出力装置としてのコンピュータを、
入力される製品情報と故障の症状とを利用して前記修理額記憶手段から該製品情報と該故障の症状とに関連付けて記憶されている平均額と最低額と最高額とを取り出す見積額抽出手段、および
前記見積額抽出手段により取り出される平均額と最低額と最高額とを出力する見積額出力手段、
として機能させることを特徴とする修理見積額出力プログラム。
【請求項５】
故障の発生した製品を修理するのに要する修理額を見積もるサーバ装置と該サーバ装置にデータ授受可能に接続されたクライアント端末装置とを有する修理見積額出力システムにおいて、
前記サーバ装置は、
製品を区別するための製品情報と故障の症状とに関連付けて該製品情報に含まれる製品において該故障の症状の修理に要したこれまでの修理額の平均額と最低額と最高額とを記憶する修理額記憶手段と、
前記クライアント端末装置から製品情報と故障の症状とを受信する情報受信手段と、
前記情報受信手段により受信される製品情報と故障の症状とを利用して前記修理額記憶手段から該製品情報と該故障の症状とに関連付けて記憶されている平均額と最低額と最高額とを取り出す見積額抽出手段と、
前記見積額抽出手段により取り出される平均額と最低額と最高額とを前記クライアント端末装置へ送信する見積額送信手段と、
を具備し、
前記クライアント端末装置は、
入力される製品情報と故障の症状とを前記サーバ装置へ送信する情報送信手段と、
前記サーバ装置から送信される修理額の平均額と最低額と最高額とを受信する見積額受信手段と、
前記見積額受信手段により受信される修理額の平均額と最低額と最高額とを報知する修理額報知手段と、
を具備することを特徴とする修理見積額出力システム。
【発明の詳細な説明】
【技術分野】
【０００１】
本発明は、修理に要した金額の実績を基に修理に要する額（修理額）を見積もる修理見積額出力装置、修理見積額出力方法、修理見積額出力プログラム、および修理見積額出力システムに関する。
【背景技術】
【０００２】
修理額を見積もってユーザに提示するものとして、見積もりする者の経験や技能によって見積もり金額に差が生じるという問題に鑑みて、見積もりする者の経験や技能による見積もり金額のバラツキを防止しようとするものがある（例えば、特許文献１参照。）
【０００３】
例えば、家電製品には様々な製品カテゴリ（テレビ、冷蔵庫など）があり、同じ製品カテゴリであっても様々な製品の型式がある。さらに、発生する故障の症状の種類も様々である。
同じ製品カテゴリ或いは同じ型式であって、同じ種類の故障の症状であっても、修理にかかる費用は常に一定であるとは限らない。これは、例えば、同じ種類の故障の症状であっても、修理のために交換する必要のある部品が同じであるとは限らず、交換する部品に価格差があり、また、複数の部品を交換しなければならないことがあるからである。
【特許文献１】特開平６−２５９４３９号公報
【発明の開示】
【発明が解決しようとする課題】
【０００４】
このため、例えば、製品のユーザがサービスセンタに修理を依頼する際に修理にかかる費用を尋ね、それに対してサービスセンタのオペレータが回答した場合において、回答した修理額（見積額）より実際に修理にかかった費用（請求金額）が高くなることがしばしば起る。特に、複数の部品を交換しなければならなかったような場合、交換しなければならない部品が高かった場合などでは、オペレータが回答した見積額より請求金額がかなり高くなってしまうことがある。このような場合、修理を依頼したユーザは非常に不満を持ち、トラブル（ユーザはオペレータによって回答された見積額しか支払わない、など）の原因になりかねない。
【０００５】
ところが、上記先行技術文献（特開平６−２５９４３９号公報）では見積額のバラツキを防止することができるが、実際に修理にかかった費用が見積額よりもトラブルを引き起こすぐらい高くなることを防止することができるものではない。
【０００６】
また、ユーザが製品を修理して継続して使用するか、買い換えるかを判断する場合に、例えば同じ故障の症状に関して過去の修理にかかった費用の実績（最低額、平均額、最高額）はその判断材料として有効であると考えられるが、上記先行技術文献（特開平６−２５９４３９号公報）にはこれに関連する記載がなされていない。
【０００７】
そこで、本発明は、製品のユーザに実状に合った範囲の見積額を回答することを可能とする修理見積額出力装置、修理見積額出力方法、修理見積額出力プログラム、および修理見積額出力システムを提供することを目的とする。
【課題を解決するための手段】
【０００８】
本発明の修理見積額出力装置は、故障の発生した製品を修理するのに要する修理額を見積もる修理見積額出力装置（２）において、製品を区別するための製品情報と故障の症状とを関連付けて該製品情報に含まれる製品において該故障の症状の修理に要したこれまでの修理額の平均額と最低額と最高額とを記憶する修理額記憶手段（２ｂ）と、入力される製品情報と故障の症状とを利用して前記修理額記憶手段から該製品情報と該故障の症状とに関連付けて記憶されている平均額と最低額と最高額とを取り出す見積額抽出手段（２ｆ）と、前記見積額抽出手段により取り出される平均額と最低額と最高額とを出力する見積額出力手段（２ｇ）と、を具備する。
【０００９】
上記修理見積額出力装置において、入力される情報に故障の症状が含まれているか否かを判断する情報内容判断手段（２ｅ）を更に具備し、前記修理額記憶手段は、製品情報と故障の症状の種類が関係ないことを示す症状無関係情報とに関連付けて該製品情報に含まれる製品において修理に要したこれまでの修理額の平均額と最低額と最高額とを記憶し、前記見積額抽出手段は前記情報内容判断手段により故障の症状が含まれていると判断された場合には入力される製品情報と故障の症状とを利用して前記修理額記憶手段から該製品情報と該故障の症状とに関連付けて記憶されている平均額と最低額と最高額とを取り出し、前記情報内容判断手段により故障の症状が含まれていないと判断された場合には入力される製品情報を利用して前記修理額記憶手段から該製品情報と該症状無関係情報とに関連付けて記憶されている平均額と最低額と最高額とを取り出す。
【００１０】
本発明の修理見積額出力方法は、製品を区別するための製品情報と故障の症状とを関連付けて該製品情報に含まれる製品において該故障の症状の修理に要したこれまでの修理額の平均額と最低額と最高額とを記憶する修理額記憶手段（２ｂ）を具備し、故障の発生した製品を修理するのに要する修理額を見積もる修理見積額出力装置（２）において行われる修理額見積出力方法において、入力される製品情報と故障の症状とを利用して前記修理額記憶手段から該製品情報と該故障の症状とに関連付けて記憶されている平均額と最低額と最高額とを取り出す見積額抽出手順（Ｓ２０５、Ｓ２０７）と、前記見積額抽出手順において取り出された平均額と最低額と最高額とを出力する見積額出力手順（Ｓ２１３）と、を有する。
【００１１】
本発明の修理見積額出力プログラムは、製品を区別するための製品情報と故障の症状とを関連付けて該製品情報に含まれる製品において該故障の症状の修理に要したこれまでの修理額の平均額と最低額と最高額とを記憶する修理額記憶手段（２ｂ）を具備し、故障の発生した製品を修理するのに要する修理額を見積もる修理見積額出力装置（２）としてのコンピュータを、入力される製品情報と故障の症状とを利用して前記修理額記憶手段から該製品情報と該故障の症状とに関連付けて記憶されている平均額と最低額と最高額とを取り出す見積額抽出手段（２ｆ）、および前記見積額抽出手段により取り出される平均額と最低額と最高額とを出力する見積額出力手段（２ｇ）、として機能させる
【００１２】
本発明の修理見積額出力システムは、故障の発生した製品を修理するのに要する修理額を見積もるサーバ装置（２）と該サーバ装置にデータ授受可能に接続されたクライアント端末装置（３）とを有する修理見積額出力システム（１）において、前記サーバ装置は、製品を区別するための製品情報と故障の症状とに関連付けて該製品情報に含まれる製品において該故障の症状の修理に要したこれまでの修理額の平均額と最低額と最高額とを記憶する修理額記憶手段（２ｂ）と、前記クライアント端末装置から製品情報と故障の症状とを受信する情報受信手段（２ｄ）と、前記情報受信手段により受信される製品情報と故障の症状とを利用して前記修理額記憶手段から該製品情報と該故障の症状とに関連付けて記憶されている平均額と最低額と最高額とを取り出す見積額抽出手段（２ｆ）と、前記見積額抽出手段により取り出される平均額と最低額と最高額とを前記クライアント端末装置へ送信する見積額送信手段（２ｇ）と、を具備し、前記クライアント端末装置は、入力される製品情報と故障の症状とを前記サーバ装置へ送信する情報送信手段（３ｃ）と、前記サーバ装置から送信される修理額の平均額と最低額と最高額とを受信する見積額受信手段（３ｄ）と、前記見積額受信手段により受信される修理額の平均額と最低額と最高額とを報知する修理額報知手段（３ａ）と、を具備する。
【００１３】
なお、本欄において参照している「（符号）」は、後述する欄（発明を実施するための最良の形態）において対応する構成を例示するのみで、何ら特許請求の範囲の各請求項の解釈を限定するものではない。
【発明の効果】
【００１４】
本発明によれば、ユーザから問合せを受けたオペレータは製品のユーザに実状に合った範囲の見積額（最低額、平均額、最高額）を回答することができる。この結果、ユーザに提示した見積額より実際に修理に要した費用がトラブルの原因になる程高くなることを防ぐことが可能になる。また、ユーザが故障した製品を修理して継続して使用するか、買い換えるかの判断材料とすることができる。
【発明を実施するための最良の形態】
【００１５】
以下、本発明を実施するための最良の形態について図面を参照しつつ説明する。
【００１６】
まず、本発明の実施の形態における修理見積額出力システムの構成について図１を参照しつつ説明する。図１は本実施の形態における修理見積額出力システムのシステム構成を示す図である。図１に示す修理見積額出力システム１は、サーバ装置（修理見積額出力装置）２とサーバ装置２にデータ授受可能に接続されたクライアント端末装置３とを備えてなる。なお、クライアント端末装置３は複数台の場合もあるが、図１では１台のみ示している。また、本実施の形態においては、製品カテゴリと型式との夫々が製品を区別するための製品情報となるが、製品情報として製品カテゴリと型式との何れか一方のみを使用する実施の形態であってもよい。
【００１７】
クライアント端末装置３は、例えばサービスセンタのオペレータにより使用されるものであり、クライアント端末装置３はオペレータにより入力された情報をサーバ装置２へ送信する。また、クライアント端末装置３はサーバ装置２によって修理に要すると見積もられた修理額の最低額と平均額と最高額とをサーバ装置２から受信し、受信した最低額と平均額と最高額とを表示する。ただし、クライアント端末装置３がサーバ装置２から概算見積なしを受信し、概算見積なしを示す場合がある。
【００１８】
ここで、クライアント端末装置３がサーバ装置２へ送信する情報のパターンとして、（１）製品の型式と故障の症状（製品カテゴリを含む場合あり）、（２）製品カテゴリと故障の症状（製品の型式を含まない）、（３）型式（製品カテゴリを含む場合があるが、故障の症状を含まない）、（４）製品カテゴリ（製品カテゴリと故障の症状とも含まない）、の４パターンがある。この４パターンとしたのは、サービスセンタに問い合わせてきたユーザが故障した製品の属する製品カテゴリ（例えば、テレビ）は分かるが製品の型式までは分からない場合、製品が故障していることは分かるがその故障の症状までは分からない場合、などがあることを想定したことによる。なお、本実施の形態では、サービスセンタに問い合わせてきたユーザが製品カテゴリが分からないようなことがないものとしている。
【００１９】
サーバ装置２はクライアント端末装置３から受け取った情報から修理に要する修理額の最低額と平均額と最高額とを見積もり（詳細は後述）、見積もった修理額の最低額と平均額と最高額とをクライアント端末装置３へ送信する。ただし、サーバ装置２がクライアント端末装置３へ概算見積もりなしを送信する場合がある。
【００２０】
次に、図１のサーバ装置２の機能について図２を参照しつつ説明する。図２は図１のサーバ装置２の機能構成を示す機能ブロック図である。図２に示すように、サーバ装置２は、修理履歴データベース２ａ、概算見積データベース２ｂ、集計処理部２ｃ、情報受信判断部２ｄ、受信内容判断部２ｅ、見積額抽出部２ｆ、および見積額送信処理部２ｇとして機能する各部を有している。
【００２１】
修理履歴データベース２ａは、過去に製品に発生した故障に対して作業員が実際に行った修理内容を記憶するものであり、その一例を図３に示す。図３に示すように、修理履歴データベース２ａのレコードに保持される修理実績データは、修理対象となった製品が属する製品カテゴリとその製品の型式と修理対象となった故障の症状（映像ぼける、脱水しない、など）と修理に実際にかかった修理費用とを含んでいる。
【００２２】
概算見積データベース２ｂは、修理履歴データベース２ａに記憶されている過去の修理内容を集計した集計結果を記憶するものであり、その一例を図４に示す。図４に示すように、概算見積データベース２ｂのレコードに保持される概算見積データは、製品カテゴリと製品の型式と故障の症状と修理件数と平均額と最低額と最高額とを含んでいる。
【００２３】
ただし、上述したように、サービスセンタに問い合わせてきたユーザが故障した製品の属する製品カテゴリは分かるが製品の型式までは分からない場合、製品が故障していることは分かるがその故障の症状までは分からない場合、などがあることを想定していることから、概算見積データベース２ｂでは次の４通りの概算見積データを保持する。
（Ａ）製品の型式と故障の症状とに関係なく、製品カテゴリに属する製品について修理実績データを集計したものであって、概算見積データの「製品カテゴリ」には対象の製品カテゴリ、「型式」には型式関係なし、「故障の症状」には症状関係なし、「修理件数」には対象の製品カテゴリに属する製品の修理件数、「平均額」には対象の製品カテゴリに属する製品の修理費用の平均額、「最低額」には対象の製品カテゴリに属する製品の修理費用の最低額、「最高額」には対象の製品カテゴリに属する製品の修理費用の最高額が格納される。
（Ｂ）故障の症状に関係なく、型式に属する製品について修理実績データを集計したものであって、概算見積データの「製品カテゴリ」には対象の製品カテゴリ、「型式」には対象の型式、「故障の症状」には症状関係なし、「修理件数」には対象の型式に属する製品の修理件数、「平均額」には対象の型式に属する製品の修理費用の平均額、「最低額」には対象の型式に属する製品の修理費用の最低額、「最高額」には対象の型式に属する製品の修理費用の最高額が格納される。
【００２４】
（Ｃ）製品の型式に関係なく、故障の症状に関して製品カテゴリに属する製品について修理実績データを集計したものであって、概算見積データの「製品カテゴリ」には対象の製品カテゴリ、「型式」には型式関係なし、「故障の症状」には対象の故障の症状、「修理件数」には対象の故障の症状における対象の製品カテゴリに属する製品の修理件数、「平均額」には対象の故障の症状における対象の製品カテゴリに属する製品の修理費用の平均額、「最低額」には対象の故障の症状における対象の製品カテゴリに属する製品の修理費用の最低額、「最高額」には対象の故障の症状における対象の製品カテゴリに属する製品の修理費用の最高額が格納される。
（Ｄ）故障の症状に関して型式に属する製品について修理実績データを集計したものであって、概算見積データの「製品カテゴリ」には対象の製品カテゴリ、「型式」には対象の型式、「故障の症状」には対象の故障の症状、「修理件数」には対象の故障の症状における対象の型式に属する製品の修理件数、「平均額」には対象の故障の症状における対象の型式に属する製品の修理費用の平均額、「最低額」には対象の故障の症状における対象の型式に属する製品の修理費用の最低額、「最高額」には対象の故障の症状における対象の型式に属する製品の修理費用の最高額が格納される。
【００２５】
集計処理部２ｃは、修理履歴データベース２ａに記憶されている修理実績データを利用して、上記（Ａ）から（Ｄ）の４通りの概算見積データの集計を行う。
【００２６】
情報受信判断部２ｄは、クライアント端末装置３から情報を受信したか否かを判断し、クライアント端末装置３から受信した情報を受信内容判断部２ｅと見積額抽出部２ｆとへ出力する。
受信内容判断部２ｅは、情報受信判断部２ｄから入力される情報に故障の症状が含まれているか否かを判断するとともに、当該入力される情報に型式が含まれているか否かを判断する。そして、受信内容判断部２ｄは判断結果を見積額抽出部２ｆへ出力する。
【００２７】
見積額抽出部２ｆは、受信内容判断部２ｅから入力される判断結果が受信情報に故障の症状と型式とも含まれていることを示している場合には概算見積データベース２ｂにおいて型式と故障の症状とをキーとして情報受信判断部２ｄから入力される故障の症状と型式との夫々に「故障の症状」の内容と「型式」の内容とが一致する概算見積データを検索する。見積額抽出部２ｆは、検索の結果見つかった概算見積データの「平均額」と「最低額」と「最高額」との夫々から平均額と最低額と最高額とを取り出し、取り出した平均額と最低額と最高額とを見積額送信処理部２ｇへ出力する。見積額抽出部２ｆは、検索の結果一致する概算見積データが見つからなければ、概算見積なしを見積額送信処理部２ｇへ出力する。
【００２８】
また、見積額抽出部２ｆは、受信内容判断部２ｅから入力される判断結果が受信情報に故障の症状は含まれているが型式が含まれていないことを示している場合には概算見積データベース２ｂにおいて製品カテゴリと型式と故障の症状とをキーとして情報受信判断部２ｄから入力される製品カテゴリと型式関係なしと情報受信判断部２ｄから入力される故障の症状との夫々に「製品カテゴリ」の内容と「型式」の内容と「故障の症状」の内容とが一致する概算見積データを検索する。見積額抽出部２ｆは、検索の結果見つかった概算見積データの「平均額」と「最低額」と「最高額」との夫々から平均額と最低額と最高額とを取り出し、取り出した平均額と最低額と最高額とを見積額送信処理部２ｇへ出力する。見積額抽出部２ｆは、検索の結果一致する概算見積データが見つからなければ、概算見積なしを見積額送信処理部２ｇへ出力する。
【００２９】
さらに、見積額抽出部２ｆは、受信内容判断部２ｅから入力される判断結果が受信情報に故障の症状は含まれないが型式が含まれていることを示している場合には概算見積データベース２ｂにおいて型式と故障の症状とをキーとして情報受信判断部２ｄから入力される型式と症状関係なしとの夫々に「型式」の内容と「故障の症状」の内容とが一致する概算見積データを検索する。見積額抽出部２ｆは、検索の結果見つかった概算見積データの「平均額」と「最低額」と「最高額」との夫々から平均額と最低額と最高額とを取り出し、取り出した平均額と最低額と最高額とを見積額送信処理部２ｇへ出力する。見積額抽出部２ｆは、検索の結果一致する概算見積データが見つからなければ、概算見積なしを見積額送信処理部２ｇへ出力する。
【００３０】
さらに、見積額抽出部２ｆは、受信内容判断部２ｅから入力される判断結果が受信情報に故障の症状も型式も含まれていないことを示している場合には概算見積データベース２ｂにおいて製品カテゴリと型式と故障の症状とをキーとして情報受信判断部２ｄから入力される製品カテゴリと型式関係なしと症状関係なしとの夫々に「製品カテゴリ」の内容と「型式」の内容と「故障の症状」の内容とが一致する概算見積データを検索する。見積額抽出部２ｆは、検索の結果見つかった概算見積データの「平均額」と「最低額」と「最高額」との夫々から平均額と最低額と最高額とを取り出し、取り出した平均額と最低額と最高額とを見積額送信処理部２ｇへ出力する。見積額抽出部２ｆは、検索の結果一致する概算見積データが見つからなければ、概算見積なしを見積額送信処理部２ｇへ出力する。
【００３１】
見積額送信処理部２ｇは、見積額抽出部２ｆから入力される平均額と最低額と最高額とをクライアント端末装置３へ送信する。或いは、見積額送信処理部２ｇは、見積額抽出部２ｆから入力される概算見積もりなしをクライアント端末装置３へ送信する。
【００３２】
次に、図１のクライアント端末装置３の機能について図５を参照しつつ説明する。図５は図１のクライアント端末装置３の機能構成を示す機能ブロック図である。図５に示すように、クライアント端末装置３は、表示部３ａ、入力部３ｂ、情報送信処理部３ｃ、および情報受信処理部３ｄとして機能する各部を有している。
表示部３ａは、例えばＣＲＴ（Ｃａｔｈｏｄｅ  Ｒａｙ  Ｔｕｂｅ）や液晶ディスプレイなどにより構成される表示装置であり、その表示部には図６に一例を示す修理見積額操作画面が表示される。図６（ａ）は実行前を、図６（ｂ）は実行後を示している。
【００３３】
図６に示すように、修理見積額操作画面には、修理の依頼される製品の製品カテゴリを入力するための製品カテゴリ入力欄３１と、修理の依頼される製品の型式を入力するための型式入力欄３２と、修理の依頼される製品に発生した故障の症状を入力するための症状入力欄３３とがある。
また、修理見積額操作画面には、製品カテゴリ入力欄３１と型式入力欄３２と症状入力欄３３とのうち入力された入力内容をサーバ装置２へ送信する際に押下される実行ボタン３４がある。
さらに、修理見積額操作画面には、サーバ装置２から送られてくる最低額と平均額と最高額とを夫々表示するための最低額表示領域３５と平均額表示領域３６と最高額表示領域３７とがある。また、修理見積額操作画面には、サーバ装置２から概算見積なしが送られてくる場合にチェックされるボックス３８がある。
【００３４】
入力部３ｂはキーボードやマウスなどのポインティングデバイスなどにより構成される入力装置である。オペレータは入力部３ｂを利用して製品カテゴリ入力欄３１、型式入力欄３２、症状入力欄３３のうち修理の見積額を問い合わせてきたユーザから聞き取ることのできたものだけに対して聞き取ることができた内容を入力し、また、実行ボタン３４をクリックする。
ただし、入力されるパターンは、（ａ）型式入力欄３２に対する入力と症状入力欄３３に対する入力（製品カテゴリ入力欄３１に対して入力される場合と入力されない場合を含む）、（ｂ）製品カテゴリ入力欄３１に対する入力と症状入力欄３３に対する入力（型式入力欄３２に対する入力はない）、（ｃ）型式入力欄３２に対する入力（製品カテゴリ入力欄３１に対して入力される場合と入力されない場合を含み、症状入力欄３３に対する入力はない）、（ｄ）製品カテゴリ入力欄３１に対する入力（型式入力欄３２に対する入力と症状入力欄３３に対する入力はない）、である。
【００３５】
情報送信処理部３ｃは、実行ボタン３４が押下されたか否かを判断し、実行ボタン３４が押下されたと判断すると製品カテゴリ入力欄３１、型式入力欄３２、症状入力欄３３のうち入力された入力内容をサーバ装置２へ送信する。
【００３６】
情報受信処理部３ｄは、サーバ装置２から情報を受信したか否かを判断し、情報を受信したと判断した場合にはさらに受信した情報が修理見積額の最低額と平均額と最高額とであるか、或いは、概算見積なしであるかを判断する。そして、情報受信処理部３ｄは、受信した情報が修理見積額の最低額と平均額と最高額とであると判断するとそれらを表示部３ａに表示されている修理見積額操作画面の最低額表示領域３５と平均額表示領域３６と最高額表示領域３７とに表示させる。また、情報受信処理部３ｄは、受信した情報が概算見積もりなしであると判断するとボックス３８にチェックを入れる。
【００３７】
以下、図２から図４を参照しつつ説明したサーバ装置２において行われる修理履歴の集計処理について図７から図１０を参照しつつ説明する。図７から図１０はサーバ装置２において行われる修理履歴の集計処理の手順を示すフローチャートである。
ステップＳ１０１からステップＳ１１５は、故障の症状に関して型式に属する製品について修理実績データを集計する集計処理を行う処理ステップであり、集計処理部２ｃは、修理履歴データベース２ａの最初のレコードに注目する（ステップＳ１０１）。集計処理部２ｃは、注目しているレコードに修理実績データがあるか否かを判断し（ステップＳ１０２）、修理実績データがあると判断すると（Ｓ１０２：ＹＥＳ）ステップＳ１０３の処理へ進み、修理実績データがないと判断すると（Ｓ１０２：ＮＯ）ステップＳ１１６の処理へ進む。
【００３８】
集計処理部２ｃは、概算見積データベース２ｂにおいて製品カテゴリと型式と故障の症状とをキーとして注目しているレコードの修理実績データの製品カテゴリと型式と故障の症状との夫々に「製品カテゴリ」の内容と「型式」の内容と「故障の症状」の内容とが一致する概算見積データを検索し、一致する概算見積データがあるか否かを判断する（ステップＳ１０３）。一致する概算見積データが見つかれば（Ｓ１０３：ＹＥＳ）ステップＳ１０４の処理へ進み、一致する概算見積データが見つからなければ（Ｓ１０３：ＮＯ）ステップＳ１１０の処理へ進む。
【００３９】
集計処理部２ｃは、見つかった概算見積データの「平均額」の値と「修理件数」の値とを乗算し、乗算値に注目しているレコードの修理実績データの「修理費用」の値を加算し、加算値を見つかった概算見積データの「修理件数」の値に１加算した値で除算し、見つかった概算見積データの「平均額」の値を除算値に更新する（平均額←（平均額×修理件数＋修理費用）／（修理件数＋１））（ステップＳ１０４）。
【００４０】
集計処理部２ｃは、注目しているレコードの修理実績データの「修理額」の値が見つかった概算見積データの「最高額」の値よりも大きいか否かを判断する（ステップＳ１０５）。大きいと判断した場合には（Ｓ１０５：ＹＥＳ）ステップＳ１０６の処理へ進み、集計処理部２ｃは、見つかった概算見積データの「最高額」の値を注目しているレコードの修理実績データの「修理費用」の値に更新し（最高額←修理費用）（ステップＳ１０６）、ステップＳ１０７の処理へ進む。一方、大きくないと判断した場合には（Ｓ１０５：ＮＯ）ステップＳ１０７の処理へ進む。
【００４１】
集計処理部２ｃは、注目しているレコードの修理実績データの「修理額」の値が見つかった概算見積データの「最低額」の値よりも小さいか否かを判断する（ステップＳ１０７）。小さいと判断した場合には（Ｓ１０７：ＹＥＳ）ステップＳ１０８の処理へ進み、集計処理部２ｃは、見つかった概算見積データの「最低額」の値を注目しているレコードの修理実績データの「修理費用」の値に更新し（最低額←修理費用）（ステップＳ１０８）、ステップＳ１０９の処理へ進む。一方、小さくないと判断した場合には（Ｓ１０７：ＮＯ）ステップＳ１０９の処理へ進む。
【００４２】
集計処理部２ｃは、見つかった概算見積データの「修理件数」の値を１加算した値に更新し（修理件数←修理件数＋１）（ステップＳ１０９）、ステップ１１５の処理へ進む。
【００４３】
集計処理部２ｃは、概算見積データベース２ｂに注目しているレコードの修理実績データの「製品カテゴリ」の内容とこの修理実績データの「型式」の内容とこの修理実績データの「故障の症状」の内容との概算見積データのエントリを新たに追加する（ステップＳ１１０）。
集計処理部２ｃは、新たに追加した概算見積データの「修理件数」の値を１にする（修理件数←１）（ステップＳ１１１）。
【００４４】
集計処理部２ｃは、新たに追加した概算見積データの「平均額」の値を注目しているレコードの修理実績データの「修理費用」の値とする（平均額←修理費用）（ステップＳ１１２）。
集計処理部２ｃは、新たに追加した概算見積データの「最高額」の値を注目しているレコードの修理実績データの「修理費用」の値とする（最高額←修理費用）（ステップＳ１１３）。
集計処理部２ｃは、新たに追加した概算見積データの「最低額」の値を注目しているレコードの修理実績データの「修理費用」の値とし（最低額←修理費用）（ステップＳ１１４）、ステップＳ１１５の処理へ進む。
集計処理部２ｃは、修理履歴データベース２ａの次のレコードに注目し（ステップＳ１１５）、ステップＳ１０２の処理へ戻る。
【００４５】
ステップＳ１１６からステップＳ１３０は、故障の症状に関して製品カテゴリに属する製品について修理実績データを集計する集計処理を行う処理ステップであり、集計処理部２ｃは、修理履歴データベース２ａの最初のレコードに注目する（ステップＳ１１６）。集計処理部２ｃは、注目しているレコードに修理実績データがあるか否かを判断し（ステップＳ１１７）、修理実績データがあると判断すると（Ｓ１１７：ＹＥＳ）ステップＳ１１８の処理へ進み、修理実績データがないと判断すると（Ｓ１１７：ＮＯ）ステップＳ１３１の処理へ進む。
【００４６】
集計処理部２ｃは、概算見積データベース２ｂにおいて製品カテゴリと型式と故障の症状とをキーとして注目しているレコードの修理実績データの製品カテゴリと型式関係なしと修理実績データの故障の症状との夫々に「製品カテゴリ」の内容と「型式」の内容と「故障の症状」の内容とが一致する概算見積データを検索し、一致する概算見積データがあるか否かを判断する（ステップＳ１１８）。一致する概算見積データが見つかれば（Ｓ１１８：ＹＥＳ）ステップＳ１１１９の処理へ進み、一致する概算見積データが見つからなければ（Ｓ１１８：ＮＯ）ステップＳ１２５の処理へ進む。
【００４７】
集計処理部２ｃは、見つかった概算見積データの「平均額」の値と「修理件数」の値とを乗算し、乗算値に注目しているレコードの修理実績データの「修理費用」の値を加算し、加算値を見つかった概算見積データの「修理件数」の値に１加算した値で除算し、見つかった概算見積データの「平均額」の値を除算値に更新する（平均額←（平均額×修理件数＋修理費用）／（修理件数＋１））（ステップＳ１１９）。
【００４８】
集計処理部２ｃは、注目しているレコードの修理実績データの「修理費用」の値が見つかった概算見積データの「最高額」の値よりも大きいか否かを判断する（ステップＳ１２０）。大きいと判断した場合には（Ｓ１２０：ＹＥＳ）ステップＳ１２１の処理へ進み、集計処理部２ｃは、見つかった概算見積データの「最高額」の値を注目しているレコードの修理実績データのフィールド「修理費用」の値に更新し（最高額←修理費用）（ステップＳ１２１）、ステップＳ１２２の処理へ進む。一方、大きくないと判断した場合には（Ｓ１２１：ＮＯ）ステップＳ１２２の処理へ進む。
【００４９】
集計処理部２ｃは、注目しているレコードの修理実績データの「修理費用」の値が見つかった概算見積データの「最低額」の値よりも小さいか否かを判断する（ステップＳ１２２）。小さいと判断した場合には（Ｓ１２２：ＹＥＳ）ステップＳ１２３の処理へ進み、集計処理部２ｃは、見つかった概算見積データの「最低額」の値を注目しているレコードの修理履歴データの「修理費用」の値に更新し（最低額←修理費用）（ステップＳ１２３）、ステップＳ１２４の処理へ進む。一方、小さくないと判断した場合には（Ｓ１２２：ＮＯ）ステップＳ１２４の処理へ進む。
【００５０】
集計処理部２ｃは、見つかった概算見積データの「修理件数」の値を１加算した値に更新し（修理件数←修理件数＋１）（ステップＳ１２４）、ステップ１３０の処理へ進む。
【００５１】
集計処理部２ｃは、概算見積データベース２ｂに注目しているレコードの修理実績データの「製品カテゴリ」の内容と型式関係なしと修理履歴データの「故障の症状」の内容との概算見積データのエントリを新たに追加する（ステップＳ１２５）。
集計処理部２ｃは、新たに追加した概算見積データの「修理件数」の値を１にする（修理件数←１）（ステップＳ１２６）。
【００５２】
集計処理部２ｃは、新たに追加した概算見積データの「平均額」の値を注目しているレコードの修理実績データの「修理費用」の値とする（平均額←修理費用）（ステップＳ１２７）。
集計処理部２ｃは、新たに追加した概算見積データの「最高額」の値を注目しているレコードの修理実績データの「修理費用」の値とする（最高額←修理費用）（ステップＳ１２８）。
集計処理部２ｃは、新たに追加した概算見積データの「最低額」の値を注目しているレコードの修理実績データの「修理費用」の値とし（最低額←修理費用）（ステップＳ１２９）、ステップＳ１３０の処理へ進む。
集計処理部２ｃは、修理履歴データベース２ａの次のレコードに注目し（ステップＳ１３０）、ステップＳ１１７の処理へ戻る。
【００５３】
ステップＳ１３１からステップＳ１４５は、故障の症状の種類に関係なく型式に属する製品について修理実績データを集計する集計処理を行う処理ステップであり、集計処理部２ｃは、修理履歴データベース２ａの最初のレコードに注目する（ステップＳ１３１）。集計処理部２ｃは、注目しているレコードに修理実績データがあるか否かを判断し（ステップＳ１３２）、修理実績データがあると判断すると（Ｓ１３２：ＹＥＳ）ステップＳ１３３の処理へ進み、修理実績データがないと判断すると（Ｓ１３２：ＮＯ）ステップＳ１４６の処理へ進む。
【００５４】
集計処理部２ｃは、概算見積データベース２ｂにおいて製品カテゴリと型式と故障の症状とをキーとして注目しているレコードの修理実績データの製品カテゴリと修理履歴データの型式と症状関係なしとの夫々に「製品カテゴリ」の内容と「型式」の内容と「故障の症状」の内容とが一致する概算見積データを検索し、一致する概算見積データがあるか否かを判断する（ステップＳ１３３）。一致する概算見積データが見つかれば（Ｓ１３３：ＹＥＳ）ステップＳ１３４の処理へ進み、一致する概算見積データが見つからなければ（Ｓ１３３：ＮＯ）ステップＳ１４０の処理へ進む。
【００５５】
集計処理部２ｃは、見つかった概算見積データの「平均額」の値と「修理件数」の値とを乗算し、乗算値に注目しているレコードの修理実績データの「修理費用」の値を加算し、加算値を見つかった概算見積データの「修理件数」の値に１加算した値で除算し、見つかった概算見積データの「平均額」の値を除算値に更新する（平均額←（平均額×修理件数＋修理費用）／（修理件数＋１））（ステップＳ１３４）。
【００５６】
集計処理部２ｃは、注目しているレコードの修理実績データの「修理費用」の値が見つかった概算見積データの「最高額」の値よりも大きいか否かを判断する（ステップＳ１３５）。大きいと判断した場合には（Ｓ１３５：ＹＥＳ）ステップＳ１３６の処理へ進み、集計処理部２ｃは、見つかった概算見積データの「最高額」の値を注目しているレコードの修理実績データのフィールド「修理費用」の値に更新し（最高額←修理費用）（ステップＳ１３６）、ステップＳ１３７の処理へ進む。一方、大きくないと判断した場合には（Ｓ１３５：ＮＯ）ステップＳ１３７の処理へ進む。
【００５７】
集計処理部２ｃは、注目しているレコードの修理実績データの「修理費用」の値が見つかった概算見積データの「最低額」の値よりも小さいか否かを判断する（ステップＳ１３７）。小さいと判断した場合には（Ｓ１３７：ＹＥＳ）ステップＳ１３８の処理へ進み、集計処理部２ｃは、見つかった概算見積データの「最低額」の値を注目しているレコードの修理実績データの「修理費用」の値に更新し（最低額←修理費用）（ステップＳ１３８）、ステップＳ１３９の処理へ進む。一方、小さくないと判断した場合には（Ｓ１３７：ＮＯ）ステップＳ１３９の処理へ進む。
【００５８】
集計処理部２ｃは、見つかった概算見積データの「修理件数」の値を１加算した値に更新し（修理件数←修理件数＋１）（ステップＳ１３９）、ステップ１４５の処理へ進む。
【００５９】
集計処理部２ｃは、概算見積データベース２ｂに注目しているレコードの修理実績データの「製品カテゴリ」の内容と修理履歴データの「型式」の内容と症状関係なしとの概算見積データのエントリを新たに追加する（ステップＳ１４０）。
集計処理部２ｃは、新たに追加した概算見積データの「修理件数」の値を１にする（修理件数←１）（ステップＳ１４１）。
【００６０】
集計処理部２ｃは、新たに追加した概算見積データの「平均額」の値を注目しているレコードの修理実績データの「修理費用」の値とする（平均額←修理費用）（ステップＳ１４２）。
集計処理部２ｃは、新たに追加した概算見積データの「最高額」の値を注目しているレコードの修理実績データの「修理費用」の値とする（最高額←修理費用）（ステップＳ１４３）。
集計処理部２ｃは、新たに追加した概算見積データの「最低額」の値を注目しているレコードの修理実績データの「修理費用」の値とし（最低額←修理費用）（ステップＳ１４４）、ステップＳ１４５の処理へ進む。
集計処理部２ｃは、修理履歴データベース２ａの次のレコードに注目し（ステップＳ１４５）、ステップＳ１３２の処理へ戻る。
【００６１】
ステップＳ１４６からステップＳ１６０は、製品の型式と故障の症状の種類との双方に関係なく製品カテゴリに属する製品について修理実績データを集計する集計処理を行う処理ステップであり、集計処理部２ｃは、修理履歴データベース２ａの最初のレコードに注目する（ステップＳ１４６）。集計処理部２ｃは、注目しているレコードに修理実績データがあるか否かを判断し（ステップＳ１４７）、修理実績データがあると判断すると（Ｓ１４７：ＹＥＳ）ステップＳ１４８の処理へ進み、修理履歴データがないと判断すると（Ｓ１４７：ＮＯ）集計処理を終了する。
【００６２】
集計処理部２ｃは、概算見積データベース２ｂにおいて製品カテゴリと型式と故障の症状とをキーとして注目しているレコードの修理実績データの製品カテゴリと型式関係なしと症状関係なしとの夫々に「製品カテゴリ」の内容と「型式」の内容と「故障の症状」の内容とが一致する概算見積データを検索し、一致する概算見積データがあるか否かを判断する（ステップＳ１４８）。一致する概算見積データが見つかれば（Ｓ１４８：ＹＥＳ）ステップＳ１４９の処理へ進み、一致する概算見積データが見つからなければ（Ｓ１４８：ＮＯ）ステップＳ１５５の処理へ進む。
【００６３】
集計処理部２ｃは、見つかった概算見積データの「平均額」の値と「修理件数」の値とを乗算し、乗算値に注目しているレコードの修理実績データの「修理費用」の値を加算し、加算値を見つかった概算見積データの「修理件数」の値に１加算した値で除算し、見つかった概算見積データの「平均額」の値を除算値に更新する（平均額←（平均額×修理件数＋修理費用）／（修理件数＋１））（ステップＳ１４９）。
【００６４】
集計処理部２ｃは、注目しているレコードの修理実績データの「修理費用」の値が見つかった概算見積データの「最高額」の値よりも大きいか否かを判断する（ステップＳ１５０）。大きいと判断した場合には（Ｓ１５０：ＹＥＳ）ステップＳ１５１の処理へ進み、集計処理部２ｃは、見つかった概算見積データの「最高額」の値を注目しているレコードの修理実績データの「修理費用」の値に更新し（最高額←修理費用）（ステップＳ１５１）、ステップＳ１５２の処理へ進む。一方、大きくないと判断した場合には（Ｓ１５０：ＮＯ）ステップＳ１５２の処理へ進む。
【００６５】
集計処理部２ｃは、注目しているレコードの修理実績データの「修理費用」の値が見つかった概算見積データの「最低額」の値よりも小さいか否かを判断する（ステップＳ１５２）。小さいと判断した場合には（Ｓ１５２：ＹＥＳ）ステップＳ１５３の処理へ進み、集計処理部２ｃは、見つかった概算見積データの「最低額」の値を注目しているレコードの修理実績データの「修理費用」の値に更新し（最低額←修理費用）（ステップＳ１５３）、ステップＳ１５４の処理へ進む。一方、小さくないと判断した場合には（Ｓ１５２：ＮＯ）ステップＳ１５４の処理へ進む。
【００６６】
集計処理部２ｃは、見つかった概算見積データの「修理件数」の値を１加算した値に更新し（修理件数←修理件数＋１）（ステップＳ１５４）、ステップ１６０の処理へ進む。
【００６７】
集計処理部２ｃは、概算見積データベース２ｂに注目しているレコードの修理実績データの「製品カテゴリ」の内容と型式関係なしと症状関係なしとの概算見積データのエントリを新たに追加する（ステップＳ１５５）。
集計処理部２ｃは、新たに追加した概算見積データの「修理件数」の値を１にする（修理件数←１）（ステップＳ１５６）。
【００６８】
集計処理部２ｃは、新たに追加した概算見積データの「平均額」の値を注目しているレコードの修理実績データの「修理費用」の値とする（平均額←修理費用）（ステップＳ１５７）。
集計処理部２ｃは、新たに追加した概算見積データの「最高額」の値を注目しているレコードの修理実績データの「修理費用」の値とする（最高額←修理費用）（ステップＳ１５８）。
集計処理部２ｃは、新たに追加した概算見積データの「最低額」の値を注目しているレコードの修理実績データの「修理費用」の値とし（最低額←修理費用）（ステップＳ１５９）、ステップＳ１６０の処理へ進む。
集計処理部２ｃは、修理履歴データベース２ａの次のレコードに注目し（ステップＳ１６０）、ステップＳ１４７の処理へ戻る。
【００６９】
以下、図２から図４を参照しつつ説明したサーバ装置２において行われる見積額（平均額、最低額、最高額）の出力処理について図１１から図１２を参照しつつ説明する。図１１から図１２はサーバ装置２において行われる見積額の出力処理の手順を示すフローチャートである。
情報受信判断部２ｄは、クライアント端末装置３から情報を受信したか否かを判断する（ステップＳ２０１）。情報を受信していないと判断した場合には（Ｓ２０１：ＮＯ）ステップＳ２０１の処理へ戻る。一方、情報を受信したと判断した場合には（Ｓ２０１：ＹＥＳ）ステップＳ２０２の処理へ進む。
【００７０】
情報内容判断部２ｅは、情報受信判断部２ｄから入力される情報（クライアント端末装置３から受信する情報）に故障の症状が含まれているか否かを判断する（ステップＳ２０２）。故障の症状が含まれていると判断した場合には（Ｓ２０２：ＹＥＳ）ステップＳ２０３の処理へ進み、一方、故障の症状が含まれていないと判断した場合には（Ｓ２０２：ＮＯ）ステップＳ２０８の処理へ進む。
【００７１】
情報内容判断部２ｅは、情報受信判断部２ｄから入力される情報（クライアント端末装置３から受信する情報）に型式が含まれているか否かを判断する（ステップＳ２０３）。型式が含まれていると判断した場合には（Ｓ２０３：ＹＥＳ）ステップＳ２０４の処理へ進み、一方、故障の症状が含まれていないと判断した場合には（Ｓ２０４：ＮＯ）ステップＳ２０６の処理へ進む。
【００７２】
見積額抽出部２ｆは、概算見積データベース２ｂにおいて型式と故障の症状とをキーとして受信した型式と受信した故障の症状との夫々に「型式」の内容と「故障の症状」の内容とが一致する概算見積データを検索し、一致する概算見積データがあるか否かを判断する（ステップＳ２０４）。
検索の結果一致する概算見積データが見つかれば（Ｓ２０４：ＹＥＳ）ステップＳ２０５の処理へ進み、見積額抽出部２ｆは、検索の結果見つかった概算見積データの「平均額」と「最低額」と「最高額」との夫々から平均額と最低額と最高額とを取り出す（ステップＳ２０５）。そして、見積額送信処理部２ｇはステップＳ２０５で取り出された平均額と最低額と最高額とをクライアント端末装置３へ送信し（ステップＳ２１３）、ステップＳ２０１の処理へ戻る。
検索の結果一致する概算見積データが見つからなければ（Ｓ２０４：ＮＯ）ステップＳ２１４の処理へ進み、見積額送信処理部２ｇは概算見積なしをクライアント端末装置３へ送信し（ステップＳ２１４）、ステップＳ２０１の処理へ戻る。
【００７３】
見積額抽出部２ｆは、概算見積データベース２ｂにおいて製品カテゴリと型式と故障の症状とをキーとして受信した製品カテゴリと型式なしと受信した故障の症状との夫々に「製品カテゴリ」の内容と「型式」の内容と「故障の症状」の内容とが一致する概算見積データを検索し、一致する概算見積データがあるか否かを判断する（ステップＳ２０６）。
検索の結果一致する概算見積データが見つかれば（Ｓ２０６：ＹＥＳ）ステップＳ２０７の処理へ進み、見積額抽出部２ｆは、検索の結果見つかった概算見積データの「平均額」と「最低額」と「最高額」との夫々から平均額と最低額と最高額とを取り出す（ステップＳ２０７）。そして、見積額送信処理部２ｇはステップＳ２０７で取り出された平均額と最低額と最高額とをクライアント端末装置３へ送信し（ステップＳ２１３）、ステップＳ２０１の処理へ戻る。
検索の結果一致する概算見積データが見つからなければ（Ｓ２０６：ＮＯ）ステップＳ２１４の処理へ進み、見積額送信処理部２ｇは概算見積なしをクライアント端末装置３へ送信し（ステップＳ２１４）、ステップＳ２０１の処理へ戻る。
【００７４】
情報内容判断部２ｅは、情報受信判断部２ｄから入力される情報（クライアント端末装置３から受信する情報）に型式が含まれているか否かを判断する（ステップＳ２０８）。型式が含まれていると判断した場合には（Ｓ２０８：ＹＥＳ）ステップＳ２０９の処理へ進み、一方、故障の症状が含まれていないと判断した場合には（Ｓ２０８：ＮＯ）ステップＳ２１１の処理へ進む。
【００７５】
見積額抽出部２ｆは、概算見積データベース２ｂにおいて型式と故障の症状とをキーとして受信した型式と症状関係なしとの夫々に「型式」の内容と「故障の症状」の内容とが一致する概算見積データを検索し、一致する概算見積データがあるか否かを判断する（ステップＳ２０９）。
検索の結果一致する概算見積データが見つかれば（Ｓ２０９：ＹＥＳ）ステップＳ２１０の処理へ進み、見積額抽出部２ｆは、検索の結果見つかった概算見積データの「平均額」と「最低額」と「最高額」との夫々から平均額と最低額と最高額とを取り出す（ステップＳ２１０）。そして、見積額送信処理部２ｇはステップＳ２１０で取り出された平均額と最低額と最高額とをクライアント端末装置３へ送信し（ステップＳ２１３）、ステップＳ２０１の処理へ戻る。
検索の結果一致する概算見積データが見つからなければ（Ｓ２０９：ＮＯ）ステップＳ２１４の処理へ進み、見積額送信処理部２ｇは概算見積なしをクライアント端末装置３へ送信し（ステップＳ２１４）、ステップＳ２０１の処理へ戻る。
【００７６】
見積額抽出部２ｆは、概算見積データベース２ｂにおいて製品カテゴリと型式と故障の症状とをキーとして受信した製品カテゴリと型式関係なしと症状関係なしとの夫々に「型式」の内容と「型式」の内容と「故障の症状」の内容とが一致する概算見積データを検索し、一致する概算見積データがあるか否かを判断する（ステップＳ２１１）。
検索の結果一致する概算見積データが見つかれば（Ｓ２１１：ＹＥＳ）ステップＳ２１２の処理へ進み、見積額抽出部２ｆは、検索の結果見つかった概算見積データの「平均額」と「最低額」と「最高額」との夫々から平均額と最低額と最高額とを取り出す（ステップＳ２１２）。そして、見積額送信処理部２ｇはステップＳ２１２で取り出された平均額と最低額と最高額とをクライアント端末装置３へ送信し（ステップＳ２１３）、ステップＳ２０１の処理へ戻る。
検索の結果一致する概算見積データが見つからなければ（Ｓ２１１：ＮＯ）ステップＳ２１４の処理へ進み、見積額送信処理部２ｇは概算見積なしをクライアント端末装置３へ送信し（ステップＳ２１４）、ステップＳ２０１の処理へ戻る。
【００７７】
以下、図５および図６を参照しつつ説明したクライアント端末装置３において行われる見積額の出力処理について図１３を参照しつつ説明する。図１３はクライアント端末装置３において行われる見積額の出力処理の手順を示すフローチャートである。
まず、表示部３ａは入力部３ｂに対するオペレータによる所定の操作により修理見積額操作画面を表示する（ステップＳ３０１）。このとき、オペレータは入力部３ｂを利用して製品カテゴリ入力欄３１と型式入力欄３２と症状入力欄３３とのうち問い合わせてきたユーザから聞き取ることができた入力欄に対する入力を行い（図６（ａ）参照）、入力後実行ボタン３４をクリックする。
【００７８】
情報送信処理部３ｃは、実行ボタン３５が押下されたか否かを判断する（ステップＳ３０２）。実行ボタン３４が押下されていないと判断した場合には（Ｓ３０２：ＮＯ）ステップＳ３０２の処理へ戻る。一方、実行ボタン３４が押下されたと判断した場合には（Ｓ３０２：ＹＥＳ）ステップＳ３０３の処理へ進み、情報送信処理部３ｃは、製品カテゴリ入力欄３１と型式入力欄３２と症状入力欄３３とのうち入力のあった入力欄の入力内容をサーバ装置２へ送信する（ステップＳ３０３）。
【００７９】
入力内容を送信した後、情報受信処理部３ｄは、サーバ装置２から情報を受信したか否かを判断する（ステップＳ３０４）。情報を受信していないと判断した場合には（Ｓ３０４：ＮＯ）ステップＳ３０４の処理へ戻る。一方、情報を受信したと判断した場合には（Ｓ３０４：ＹＥＳ）ステップＳ３０５の処理へ進み、情報受信処理部３ｄは、サーバ装置２から受信した情報が平均額と最低額と最高額とであるか否かを判断する（ステップＳ３０５）。受信した情報が平均額と最低額と最高額とであると判断した場合には（Ｓ３０５：ＹＥＳ）ステップＳ３０６の処理へ進み、情報受信処理部３ｄは、表示部３ａに表示されている修理見積額操作画面の最低額表示領域３５と平均額表示領域３６と最高額表示領域３７との夫々にサーバ装置２から受信した最低額と平均額と最高額とを表示させ（ステップＳ３０６）、処理を終了する。一方、受信した情報が平均額と最低額と最高額とでないと判断した場合には（Ｓ３０５：ＮＯ）ステップＳ３０７の処理へ進み、情報受信処理部３ｄは、表示部３ａに表示されている修理見積額操作画面の概算見積もりなしのボックス３８にチェックを入れさせ（ステップＳ３０６）、処理を終了する。
【００８０】
以上説明した本実施の形態によれば、ユーザから問合せを受けたオペレータは製品のユーザに実状に合った範囲の見積額（最低額、平均額、最高額）を回答することができる。この結果、ユーザに提示した見積額より実際に修理に要した費用がトラブルの原因になる程高くなることを防ぐことが可能になる。また、ユーザが故障した製品を修理して継続して使用するか、買い換えるかの判断材料とすることができる。
【００８１】
以上、本発明の好適な実施の形態について説明したが、本発明は上述の実施の形態に限られるものではなく、特許請求の範囲に記載されている範囲において様々な設計変更が可能なものである。
【００８２】
尚、上述した各処理部の機能を実現するためのプログラムをコンピュータ読み取り可能な記録媒体に記録して、この記録媒体に記録されたプログラムをコンピュータシステムに読み込ませ、実行することにより上記各種処理を行ってもよい。尚、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【図面の簡単な説明】
【００８４】
【図１】本発明の実施の形態における修理見積額出力システムのシステム構成図。
【図２】図１のサーバ装置の機能構成を示す機能ブロック図。
【図３】図２の修理履歴データベースの一例を示す図。
【図４】図２の概算見積データベースの一例を示す図。
【図５】図１のクライアント端末装置の機能構成を示す機能ブロック図。
【図６】図５の表示部に表示される修理見積額操作画面の一例を示す図。
【図７】図２のサーバ装置において行われる修理履歴の集計処理の手順を示すフローチャート。
【図８】図２のサーバ装置において行われる修理履歴の集計処理の手順を示すフローチャート。
【図９】図２のサーバ装置において行われる修理履歴の集計処理の手順を示すフローチャート。
【図１０】図２のサーバ装置において行われる修理履歴の集計処理の手順を示すフローチャート。
【図１１】図２のサーバ装置において行われる見積額の出力処理の手順を示すフローチャート。
【図１２】図２のサーバ装置において行われる見積額の出力処理の手順を示すフローチャート。
【図１３】図５のクライアント端末装置において行われる見積額の出力処理の手順を示すフローチャート。
【符号の説明】
【００８５】
１  修理見積額出力システム
２  サーバ装置
２ａ  修理履歴データベース
２ｂ  概算見積データベース
２ｃ  集計処理部
２ｄ  情報受信判断部
２ｅ  受信内容判断部
２ｆ  見積額抽出部
２ｇ  見積額送信処理部
３  クライアント端末装置
３ａ  表示部
３ｂ  入力部
３ｃ  情報送信処理部
３ｄ  情報受信処理部
【図１】
2006228161.tif 000003
【図２】
2006228161.tif 000004
【図３】
2006228161.tif 000005
【図４】
2006228161.tif 000006
【図５】
2006228161.tif 000007
【図６】
2006228161.tif 000008
【図７】
2006228161.tif 000009
【図８】
2006228161.tif 000010
【図９】
2006228161.tif 000011
【図１０】
2006228161.tif 000012
【図１１】
2006228161.tif 000013
【図１２】
2006228161.tif 000014
【図１３】
2006228161.tif 000015